(57)【要約】本発明は、ポータブル光学記憶装置の構成部品を取り付けるための取り付け手段のあるシングル・ピース・シャシーを有する、ポータブル光学データ記憶装置に用いる光学機械的アセンブリ（OMA）を提供する。シャシー取り付け手段は、ディスク・スピンドル・モータのワインディング、ディスク・スピンドル・モータの制御回路およびディスク・スピンドル・モータのモータ・シャフトを取り付けることができる。本発明は、ドライブ設計を改良し、費用を軽減し、公差およびビルドタイムを改良する。
2006513523.tif 000002
【特許請求の範囲】
【請求項１】
シングル・ピースのシャシーからなるポータブル光学データ記憶装置に用いるための光学機械的アセンブリ（OMA）。
【請求項２】
ポータブル光学記憶装置の構成部品をその上に取り付けるための取り付け手段を有する請求項１記載の光学機械的アセンブリ。
【請求項３】
前記取り付け手段は、ディスク・スピンドル・モータのモータ・シャフト用の取り付けプレートであることを特徴とする請求項２記載の光学機械的アセンブリ。
【請求項４】
前記取り付け手段は、ディスク・スピンドル・モータのワインディング用の取り付けプレートであることを特徴とする請求項２または３記載の光学機械的アセンブリ。
【請求項５】
前記取り付け手段は、ディスク・スピンドル・モータの制御回路用の取り付けプレートであることを特徴とする請求項２から４のいずれかに記載の光学機械的アセンブリ。
【請求項６】
シャシーは金属製であることを特徴とする請求項２から５のいずれかに記載の光学機械的アセンブリ。
【請求項７】
前記取り付け手段は、スレッド・モータ用の取り付けプレートであることを特徴とする請求項２から６のいずれかに記載の光学機械的アセンブリ。
【請求項８】
前記取り付け手段は、ドライブ・システム用の取り付けプレートであることを特徴とする請求項２から７のいずれかに記載の光学機械的アセンブリ。
【請求項９】
前記取り付け手段は、リードスクリュの取り付けプレートであることを特徴とする請求項２から８のいずれかに記載の光学機械的アセンブリ。
【請求項１０】
前記取り付け手段は、第１ガイドレール用の取り付けプレートであることを特徴とする請求項２から９のいずれかに記載の光学機械的アセンブリ。
【請求項１１】
スレッド・モータが前記取り付けプレートに取り付けられ、スレッド・モータはギアボックス・アセンブリを介してリードスクリュに駆動されることを特徴とする請求項２から１０のいずれかに記載の光学機械的アセンブリ。
【請求項１２】
スレッド・モータが前記取り付けプレートに取り付けられ、スレッド・モータはステッパ・モータから直接リードスクリュに駆動されることを特徴とする請求項２から１０のいずれかに記載の光学機械的アセンブリ。
【請求項１３】
第２ガイドレールがシャシーに取り付けられ、リードスクリュから駆動されるスレッド・モータが、カムを介してこの第２ガイドレールを介してOPUに作用することを特徴とする請求項１から１２のいずれかに記載の光学機械的アセンブリ。これにより、振動感受性が減少する。
【請求項１４】
ネジを用いて、OPUチルト調整を可能にすることを特徴とする請求項１から１３のいずれかに記載の光学機械的アセンブリ。
【請求項１５】
ネジは第１ガイドレールの両端と、リードスクリュの一端に取り付けられることを特徴とする請求項１４に記載の光学機械的アセンブリ。
【請求項１６】
３個のネジがあることを特徴とする請求項１４または１５記載の光学機械的アセンブリ。
【請求項１７】
ネジはリードスクリュの両端と、第１ガイドレールの一端に取り付けられることを特徴とする請求項１４から１６のいずれかに記載の光学機械的アセンブリ。
【請求項１８】
ネジは第１または第２ガイドレールの一方の両端と、他方の一端に取り付けられ、OPUチルト調整を可能にすることを特徴とする請求項１４から１７のいずれかに記載の光学機械的アセンブリ。
【請求項１９】
ネジはバネ取り付けであることを特徴とする請求項１４から１８のいずれかに記載の光学機械的アセンブリ。
【発明の詳細な説明】
【技術分野】
【０００１】
本発明は、記録可能/書換可能光学記憶技術、特に、ポータブルCDおよびDVDドライブに関する。特に、本発明は、費用を低減し、公差およびビルドタイムを改善可能な、ドライブ設計の機械的改良に関する。
【背景技術】
【０００２】
これまでのほぼすべての光学データ記憶システムの基本は、PhilipsおよびSonyが約20年前に提案したコンパクト・ディスク形式だった。この規格は、当初のオーディオ記憶装置から修正され、すべての形式のデータと、記録可能/書換可能版も含むようになっている。CDはよく知られた規格となり、その柔軟性はますます広範囲な利用につながっている。過去数年のDVDの創出は、良く知られた外観および感覚を保ちながら、顧客が利用可能な光学データ記憶装置の容量を拡大した。特に、ポータブル・ソリューションに成長が見られ、これらポータブル・ソリューションは、PCベースのソリューションのニーズとは別個の特定の要件を持つ。ポータブル・ソリューションのニーズには、小型で、電力消費量の改善されたものが含まれる。さらに、ポータブル光学データ記憶ソリューションはしばしば、民生電子環境向けとなることが多くなり、費用上の制約をますます厳しくしている。
【０００３】
光学データ記憶装置は、機械的、電子的およびファームウェアに分けることが可能な多くのセクションから構成される。これまで、CD、CDRW、DVDおよび記録可能DVDドライブに利用するための光学機械的アセンブリ（OMA）には、ガイドレールおよびリードスクリュ（光学ピックアップ（OPU）読み取り/記録ヘッド位置設定用）、ディスクのデータ領域全体にOPUを横断させるスレッド・モータと、ディスクを回転させるためのスピンドル・モータを取り付けるための位置設定機能を持つシャシーを必要とする。スピンドル・モータは、ネジを介してシャシーに取り付けるための取り付けプレート付きモータを供給するような専門モータ供給業者から購入するのが普通である。一般に、ポータブル光学データ記憶システムでは、PC CDドライブ等、非ポータブル用途に用いるOMAの縮小版を作成する。ドライブ本体内へのOMAユニットの一体化を可能にして、部品数と公差を減らした設計が知られる。しかしながら、一体型OMAはまだ、別途のモータ・アセンブリおよびスレッド・ドライブ・システムを必要としており、広範囲な製品に用いる「エンジン」ソリューションとしてよりも、完全製品設計のみに適していた。
【発明の開示】
【発明が解決しようとする課題】
【０００４】
本発明の目的は、光学データ記憶装置の光学機械的アセンブリのための改良シャシーを提供することである。
【課題を解決するための手段】
【０００５】
本発明の第1の側面によると、ポータブル光学記憶装置の部品をその上に取り付けるための取り付け手段を有するシングル・ピース・シャシーからなるポータブル光学データ記憶装置に用いる光学機械的アセンブリ（OMA）が提供される。
【０００６】
前記取り付け手段は、ディスク・スピンドル・モータのモータ・シャフト用の取り付けプレートであることが望ましい。
【０００７】
前記取り付け手段は、ディスク・スピンドル・モータのワインディング用の取り付けプレートであることが望ましい。
【０００８】
前記取り付け手段は、ディスク・スピンドル・モータの制御回路用の取り付けプレートであることが望ましい。
【０００９】
シャシーは、金属製であることが望ましい。
【００１０】
前記取り付け手段は、スレッド・モータ用の取り付けプレートであることが望ましい。
【００１１】
前記取り付け手段は、ドライブ・システム用の取り付けプレートであることが望ましい。
【００１２】
前記取り付け手段は、リードスクリュ用の取り付けプレートであることが望ましい。
【００１３】
前記取り付け手段は、第1ガイドレール用の取り付けプレートであることが望ましい。
【００１４】
スレッド・モータは、前記取り付けプレートに取り付けるのが望ましく、スレッド・モータは、ギアボックス・アセンブリを介して、リードスクリュへ駆動される。
【００１５】
あるいは、スレッド・モータは前記取り付けプレートに取り付け、スレッド・モータは、リードスクリュへステッパ・モータから直接駆動される。
【００１６】
第2ガイドレールをシャシーに取り付け、リードスクリュから駆動されるスレッド・モータが、カムを介してこの第2ガイドレールによってOPUに作用するのが望ましい。これにより、振動感受性が低下する。
【００１７】
ネジを用いて、OPUのチルト調整を可能にすることが望ましい。スクリュは、第1ガイドレールの両端と、リードスクリュの一端に取り付けるのが望ましい。
【００１８】
3個のネジがあることが望ましい。
【００１９】
任意に、ネジはリードスクリュの両端と、第1ガイドレールの一端に取り付ける。
【００２０】
ネジは、第1または第2ガイドレールの一方の両端、および他方の一端に取り付け、OPUのチルト調整を可能にするのが望ましい。
【００２１】
ネジはバネ取り付けが望ましい。
【発明を実施するための最良の形態】
【００２２】
本発明をよりよく理解するため、例としてのみ、添付の図面を参照して、実施例を説明する。
【００２３】
本発明は、シングル・ピースの材料から製造したOMAシャシーである。このシャシーは、スピンドル・モータのベースプレートと、望ましくはスレッド・モータの取り付けに置き換わり、リードスクリュおよびガイドレールのロケータを含むことができる。
【００２４】
図１を参照し、OMA１０はモータ１２の金属製取り付けプレート１４を、OMAの金属製シャシー・プレート１４に組み込む。シャシーの金属部分はそのため、モータの位置する追加領域と共に製造される。そして、シャシー・プレートはその上にモータ・シャフトと、ワインディングと、制御回路を直接取り付け、モータ・プレートとシャシーを組み合わせることになる。金属以外の剛性材料を用いることができる。
【００２５】
このシャシーはまた、スレッド・モータ１６およびドライブ・システムの取り付けプレートとして、およびドライブ・カム２０を移動させるリードスクリュ１８の取り付けとして作用する。
【００２６】
シャシーはまた、光学ピックアップ（OPU）２４に必要なガイドレール２２の取り付けプレートとして作用する。
【００２７】
OPUスレッド・モータの動きは、ギアボックス・アセンブリを介してリードスクリュへ駆動してよい。
【００２８】
スレッド・モータの動きは、ステッパ・モータから直接、リードスクリュへ駆動してよい。
【００２９】
追加ガイドレール２６を取り付け、リードスクリュからのスレッド駆動を、この追加ガイドレールを介して、カムを使ってOPUに作用させ、これにより、振動感受性を減らす。
【００３０】
3個のバネ取り付けネジを用いて、OPUのチルト調整を可能にする。この3個のネジは、ガイドレールのいずれかの端部、およびリードスクリュの一端に取り付けることができる。あるいは、この3個のネジは、リードスクリュのいずれかの端部と、ガイドレールの一端に取り付けることができる。この3個のバネ取り付けネジを用いて、OPUのチルト調整を可能にする。この3個のネジは、ガイドレールの一方のいずれかの端部と、他方の一端に取り付けることができる。
【００３１】
フレックス・コネクタ２８も示す。
【００３２】
図２を参照すると、CD、CDRW、DVDおよび記録可能DVDドライブに用いる従来のOMA３０が示されるが、このOMAは、ガイドレール３４、光学ピックアップ（OPU）３８読み取り/記録ヘッドの位置設定用のリードスクリュ３６、スレッド・モータ４０、およびディスクのデータ領域全体にOPUを横切らせるギアトレイン４２、およびディスクを回転させるスピンドル・モータ４４を取り付けるための位置設定機能を持つシャシー３２を組み込む。リードスクリュはOPUにドライブを提供し、その動きはカム４６の利用を介して転送される。スピンドル・モータは、ネジを用いてシャシーに取り付けるための取り付けプレート４８からなる。フレックス・コネクタ５０も示す。
【００３３】
本発明の利点は、OMAの全体サイズの減少並びにそれによるパーツ数、ひいては全体費用の削減である。本発明はまた、OMAの公差改善、特に、チルト性能の改善効果を有するリードスクリュおよびガイドレール（または、２本用いる場合は、両ガイドレール）の位置改善の効果を有する。チルト性能の改善は、光学エンジンソリューションの成功、特に記録ソリューションの成功にとって重要である。チルトの改善によってOMAの製造時間が短縮され、設計段階のリスクも減少する。本発明を用いるさらなる利点は、シングル・ピース構造と、ガイドレールとリードスクリュとの間のクロスサポートによるOMAの安定性および剛性の増加である。剛性と安定性の増加により、OMA性能、特に高速動作での性能が改善される。
【００３４】
本書に説明する発明の範囲を逸脱せずに、さらなる修正および改良を追加することが可能である。
【図面の簡単な説明】
【００３５】
【図１】図１は、本発明の実施の形態による光学機械的アセンブリの略図を示す。
【図２】図２は、従来の光学機械的アセンブリの略図を示す。
【図１】
2006513523.tif 000003
【図２】
2006513523.tif 000004
【国際調査報告】
2006513523.tif 000005
2006513523.tif 000006
2006513523.tif 000007